(57)【要約】      （修正有）【課題】経年劣化が少なく且つ強い強度で壁面に固定できるとともに、様々な機能を持つ収納具を容易に取り付け且つ交換可能であるため、極めて幅広い用途に利用でき、また、収納具の交換の際に壁面から剥がれることが無く、且つ壁面取付け部上の目立つ部分にロゴやキャラクター、あるいは文字等の表示が行える壁面収納具を提供する。【解決手段】壁面取り付け部１は、屈曲可能な粘着シートと、粘着シートの粘着面と異なる面に固定された連結受部１２とを有し、粘着シートを壁面に固定した際において、粘着シートの下半分の所定位置に前記連結受部を設ける。また、物品収納部２は、物品を収納するための収納基体部と、収納基体部に設けられた連結受部に嵌め込むことが可能な連結挿入部２２を有し、粘着シートを壁面に固定した際において、連結挿入部は連結受部に対して上方から下方に向かって嵌め込むことができる構成とした。【選択図】図６
0003182611.tif 000002
【実用新案登録請求の範囲】
【請求項１】
壁面に着脱可能に粘着する壁面取付け部と、当該壁面取り付け部に嵌め込みにより連結可能な複数種類の物品収納部と、を備えた壁面収納具であって、
前記壁面取り付け部は、粘着シートと、当該粘着シートの粘着面と異なる面に固定された連結受部と、を有し、
前記粘着シートを壁面に固定した際において、当該粘着シートの下半分の所定位置に前記連結受部は設けられ、
前記物品収納部は、物品を収納するための収納基体部と、当該収納基体部に設けられた前記連結受部に嵌め込むことが可能な連結挿入部と、を有し、
前記粘着シートを壁面に固定した際において、前記連結挿入部は前記連結受部に対して上方から下方に向かって嵌め込むことができる
ことを特徴とする壁面収納具。
【請求項２】
前記連結受部と前記連結挿入部は相対的横ずれを規制する嵌め込み部を有している
ことを特徴とする請求項１に記載の壁面収納具。
【請求項３】
前記粘着シートは、平滑面に粘着可能な樹脂シートと、当該樹脂シートに貼着された化粧用フィルムとからなる
ことを特徴とする請求項１又は請求項２に記載の壁面収納具。
【請求項４】
請求項１から請求項３のいずれか１項に記載の壁面収納具は、壁面に固定した際において、前記粘着シートにロゴ又は／及びキャラクター又は／及び文字を印刷、又は粘着シートの切り抜きによって記載したことを特徴とする壁面収納具。
【考案の詳細な説明】
【技術分野】
【０００１】
本考案は、タイルや平滑な板、あるいは冷蔵庫の扉等に粘着させて使用する壁面収納具に関し、特に、収納部分を取り換えることが可能なものに関する。
【背景技術】
【０００２】
バスルームや洗面所、あるいは台所等の壁面に貼り付けて、または吸着させて用いる収納具は一般に広く用いられている。例えば、石鹸ホルダーに吸盤を設け、バスルームや洗面所の壁面に吸着させて用いる石鹸ホルダーが提案されている（例えば、特許文献１）。
【先行技術文献】
【特許文献】
【０００３】
【特許文献１】実用新案登録第３１６７７８７号
【考案の概要】
【考案が解決しようとする課題】
【０００４】
しかしながら、吸盤を用いて壁面に吸着させた際には、壁面が鏡面状の平滑さを有する必要があり、木の机等の側面に吸着させることは困難であった。また吸着が不完全な場合には、収納具を長期間安定に保持することは困難であった。例えば、わずかな気泡が入った場合には、その気泡の周囲から吸着が弱くなり、短い時間で吸着が外れてしまうといった問題があった。
【０００５】
また、収納具を異なる収納具に交換するためには、吸盤を外して付け替える等の面倒な作業が必要であった。例えば、石鹸ホルダーからタオルホルダーに簡単な作業で交換することは困難であった。
【課題を解決するための手段】
【０００６】
本考案の請求項１に係る壁面収納具は、
壁面に着脱可能に粘着する壁面取付け部と、当該壁面取り付け部に嵌め込みにより連結可能な複数種類の物品収納部と、を備え、
上記壁面取り付け部は、粘着シートと、当該粘着シートの粘着面と異なる面に固定された連結受部と、を有し、
上記粘着シートを壁面に固定した際において、当該粘着シートの下半分の所定位置に前記連結受部は設けられ、
前記物品収納部は、物品を収納するための収納基体部と、当該収納基体部に設けられた前記連結受部に嵌め込むことが可能な連結挿入部を有し、
上記粘着シートを壁面に固定した際において、前記連結挿入部は前記連結受部に対して上方から下方に向かって嵌め込むことができることを特徴とする。
【０００７】
本考案の請求項２に係る壁面収納具は、前記連結受部と前記連結挿入部は相対的横ずれを規制する嵌め込み部を有していることを特徴とする。
【０００８】
本考案の請求項３に係る壁面収納具は、前記粘着シートが、平滑面に粘着可能な樹脂シートと、当該樹脂フィルムに貼着された化粧用フィルムとからなることを特徴とする。
【０００９】
本考案の請求項４に係る壁面収納具は、壁面に固定した際において、上記粘着シートにロゴ又は／及びキャラクター又は／及び文字を印刷又は粘着シートの切り抜きによって記載したことを特徴とする。
【考案の効果】
【００１０】
本考案に係る壁面収納具は上記のように構成されるため、経年劣化が少なく且つ強い強度で壁面に固定できるとともに、様々な機能を持つ収納具を容易に取り付け且つ交換可能であるため、極めて幅広い用途に利用できる。
また、連結受部を設けている位置を最適化しているため、収納具の交換の際に壁面から剥がれることが無く、且つ壁面取付け部上の目立つ部分にロゴやキャラクター、あるいは文字等の表示が行える。
【図面の簡単な説明】
【００１１】
【図１】本考案の実施の形態に係る壁面収納部に関し、壁面取付け部の非粘着面の正面図である。
【図２】本考案の実施の形態に係る壁面収納部に関し、連結受部の正面図および断面図である。
【図３】本考案の実施の形態に係る壁面収納部に関し、フック機能を有する物品収納部の（ａ）正面図および（ｂ）側面図である。
【図４】本考案の実施の形態に係る壁面収納部に関し、フック機能を有する物品収納部の正面図および断面図である。
【図５】本考案の実施の形態に係る壁面収納部に関し、物品収納部の様々な例に関する斜視図である。
【図６】本考案の実施の形態に係る壁面収納部に関し、壁面取付け部に物品収納部を取付ける動作を説明するための図である。
【図７】本考案の実施の形態に係る壁面収納部に関し、壁面取付け部に物品収納部を取付けた図である。
【考案を実施するための形態】
【００１２】
実施の形態．
本考案に係る壁面収納具の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１３】
本考案に係る壁面収納具は、基本的に、壁面取付け部１と物品収納部２とからなる。
まず、壁面取付け部１の構成に関して、図１および図２を用いて詳細に説明する。
図１は壁面取付け部１の正面図であり、粘着面と異なる面から見た図である。壁面取付け部１は屈曲可能な粘着シート１１と連結受部１２とから構成されている。
【００１４】
粘着シート１１は、厚みは約１ｍｍ、大きさは、９０ｍｍ×１１０ｍｍ程度である。粘着シート１１としては、例えばＳＥＢＳ（スチレン−エチレン−ブチレン−スチレン共重合体）等を主成分とする粘着性を有するシートと、このシートの表面に貼着された約０．１ｍｍ厚の化粧用フィルムからなる。
【００１５】
化粧用フィルムとしては、安価でフルカラー印刷が可能なＰＥＴを用いた。化粧用フィルムには、適切なデザインを印刷することも可能であるし、企業が顧客に配布するノベルティグッズの場合には、企業の宣伝やイメージ向上のためのロゴやキャラクター、あるいは文字等を印刷しても良い。また、粘着シート１１の持つ加工性の良さを活かして、ロゴ等を型抜き加工により形成しても良い。
【００１６】
図２は、連結受部１２の正面図と、Ａ−ＡおよびＢ−Ｂ面の断面図である。連結受部１２は、台１２Ａ上に受部基体１２Ｂが形成され、また、受部基体１２Ｂには、Ｔ字状の固定用切れ込み１２Ｃと空気穴１２Ｄが設けられている。連結受部１２は、プラスチック等の成型で作製する。
【００１７】
この連結受部１２は、接着剤等により粘着シート１１上に固定される。台１２Ａを設けたのは、接着面積を大きくし、粘着シート１１と連結受部１２の固定をより確実なものにするためである。
【００１８】
図１において、紙面裏側が粘着シート１１の粘着面であり、通常は、図１に示す方向で壁面等に粘着して使用する。すなわち、壁面等に設置した状態において、連結受部１２は、粘着シート１１の中心よりも下方に設けられる。
【００１９】
次に物品収納部２の構成に関し、図３から図５を用いて説明する。
物品収納部２は、異なる収納機能を有する複数の種類がある。例えば、容器やトレイ、タオル用リング等である。図３および図４において示す物品収納部２はその一例であり、３つのフックを持つ収納部である。
【００２０】
図３に示すように、物品収納部２は、収納基体２１と連結挿入部２２から構成される。
収納基体２１は、物品収納部２の種類によって異なり、それぞれが様々な異なる収納機能を持っている。図３には収納基体としてフック機能を持つ収納基体２１Ａの形状を示している。
【００２１】
一方、連結挿入部２２は、どの種類の物品収納部２においても同一の形状である。図３および図４から分かるように、連結挿入部２２は、壁面取付け部１の連結受部１２に嵌めこむことが可能な形状となっている。
【００２２】
図５は、異なる種類の物品収納部２の例を説明するための斜視図である。
図５において、（ａ）はケースの例であり、収納基体２１Ｂと連結挿入部２２から構成され、ペンホルダー等として使用可能である。
（ｂ）はトレイの例であり、収納基体２１Ｃと連結挿入部２２から構成され、化粧品等を置いて使用する。
（ｃ）はコード巻きの例であり、収納基体２１Ｄと連結挿入部２２から構成され、ヘアードライヤー等の長いコードを巻く等の目的で使用する。
【００２３】
次に、本考案に係る壁面収納具の設置、組立方法について、以下に具体的に説明する。
壁面収納具の設置、組立方法は次の２通りが可能である。
第一の方法は、壁面取付け部１に物品収納部２を嵌めこんでから、壁面に粘着させる方法であり、第二の方法は、壁面取付け部１をまず壁面に粘着させ、その後に物品収納部２を壁面取付け部１に嵌めこむ方法である。いずれの方法も可能であるが、壁面に正確に位置決めするためには、第二の方法がより容易である。
【００２４】
なぜなら、一般に粘着シートは、壁面に粘着した際、壁面に平行な力に対しては非常に強く、一旦壁面に粘着させた後は、壁面に平行にずらして位置の微調整を行うことは困難である。したがって、壁面の所定位置に粘着させるためには、例えば、壁面取付け部１の粘着シート１１の図１における左上隅と右上隅を両手で持ち、壁面の所定位置に合わせるように慎重に粘着させる。もし、失敗した場合には、一旦粘着シート１１を完全に壁面から剥がした後に、再度上記の手順で粘着させて位置決めを確実に行うことが必要である。
【００２５】
壁面取付け部１に物品収納部２を嵌めこんだ状態で、上述のような方法で粘着場所の位置決めを行うことは、勿論不可能ではないが、かなり煩わしい。特に、物品収納部２が比較的な大きな形状である場合、上記の動作を行う際に物品収納部２が邪魔になる。したがって、壁面収納具の設置、組立方法としては、第二の方法がより容易である。
【００２６】
そこで、以下においては、第二の方法で壁面収納具の設置、組立を行う手順を説明する。
まず、壁面取付け部１の粘着シート１１を壁面等に粘着させる。具体的には、上述したように、粘着シート１１の左上隅と右上隅を両手で持ち、壁面等の所定位置に合わせるように慎重に粘着させる。
【００２７】
なお、粘着シート１１は比較的平滑な面であれば、どのような材質に対しても強い粘着力を示すため、設置場所はかなり自由度がある。例えば、木製の本棚の側面にも粘着させることが可能であるし、小さな穴が開いているような面にも粘着させることができる。したがって、バスルームや洗面所、台所だけではく、オフィイス等においても使用することができる。
【００２８】
次に、壁面等に粘着させた壁面取付け部１に物品収納部２を嵌めこんで組み立てる。図６はこの様子を説明するための図であり、壁面取付け部１の連結受部１２の真上から、物品収納部２を下ろして、連結挿入部２２を連結受部１２に嵌めこむ。
【００２９】
連結挿入部２２と連結受部１２が強く嵌めこまれて、安定な組み立て状態を得るためには、連結挿入部２２と連結受部１２の嵌めこみ部分が極めてわずかなクリアランスを持つようにすることが必須である。そして、嵌めこみ部分が極めてわずかなクリアランスだけしかないため、連結挿入部２２を連結受部１２に嵌めこむ際には、連結受部１２に大きな力が掛かる。
【００３０】
この力の方向は、基本的には図６において下向き方向であるが、紙面手前方向への力も作用する。なぜなら、人の手により嵌めこみ動作を行うため、どうしても下向き以外の方向にも力が作用してしまうためである。
【００３１】
前述したように、一般に粘着シートは、壁面に粘着した際、壁面に平行な力に対しては非常に強いため、連結受部１２に大きな下向きの力が作用しても、粘着シート１１、すなわち壁面取付け部１の位置がずれることは無い。
【００３２】
一方、連結受部１２に対し、下向きの力に加えて、紙面手前方向への大きな力が作用した場合には、粘着シート１１が剥がれる可能性がある。例えば、一般に壁面に粘着した粘着シートを剥がす場合には、粘着シートの右上隅を右手の親指と人差し指でつまみ、手前下に引くことで容易に壁面から剥がすことができる。したがって、上述の紙面手前方向への大きな力に関しては考慮が必要である。
【００３３】
本実施の形態に係る壁面収納具の壁面取付け部１の場合、壁面等に設置した状態において、連結受部１２は、粘着シート１１の中心よりも下方に設けられる。そのため、連結受部１２に対し、下向きの力に加えて、紙面手前方向へのそれなりの大きな力が作用した場合であっても、壁面から剥がれる心配は無い。なぜなら、連結受部１２に、下向きの力と紙面手前方向への力が加わった場合、その力は、図６において、連結受部１２を紙面手前下に回転させる作用を及ぼす。しかし、連結受部１２の上方にある粘着シート１１の非常に広い面積における壁面との粘着力が、この作用に抗する力となるため、粘着シート１１が容易に剥がれることは無い。
【００３４】
すなわち、連結受部１２を粘着シート１１の中心よりも下方に設けることで、連結挿入部２２を連結受部１２に嵌めこむ際のかなり大きな力によっても、粘着シート１１が壁面から剥がれにくくすることができる。
【００３５】
しかし、使用時において、物品収納部２がぐらぐらするといった不安定性を無くすためには、連結挿入部２２と連結受部１２との嵌めこみ個所のクリアランスを非常に小さくすることが必要になるため、、連結挿入部２２を連結受部１２に嵌めこむ際に極めて大きな力が生じて、粘着シート１１が剥がれてしまうという懸念が依然として存在する。
【００３６】
そこで、本実施の形態に係る壁面収納具においては、連結挿入部２２と連結受部１２との嵌めこみ個所に、Ｔ字状の嵌め合わせ部分を設けている。このＴ字状の嵌め合わせ部分により、連結挿入部２２と連結受部１２との横方向の相対位置ずれを規制することができるため、連結挿入部２２と連結受部１２との嵌めこみ個所のクリアランスをある程度設けても、使用時に物品収納部２がぐらぐらするといった不安定性を無くすことが可能になる。
【００３７】
嵌めこみ個所のクリアランスをある程度設けることが可能になることによって、嵌めこみ時に極めて大きな力が連結受部１２に作用することは無く、粘着シート１１が剥がれてしまう懸念を払拭することができる。
なお、本実施の形態においては、Ｔ字状の嵌め合わせ部分を開示したが、横方向のずれを規制する形状であれば、Ｔ字状以外の形状でもあって良い。
【００３８】
次に、連結挿入部２２を連結受部１２に嵌めこみ、物品収納部２を壁面取付け部１に取り付けた様子を図７に示す。この図から分かるように、壁面等に設置した状態において、連結受部１２を粘着シート１１の中心よりも下方に設けたことによって、粘着シート１１の上半分に大きなスペースができるというもうひとつの特長が生じる。この粘着シート１１の上半分のスペースは、使用時に使用者から見やすい部分である。すなわち目立つ部分である。
【００３９】
このスペースに、デザインを施したり、ロゴやキャラクターを配置したり、あるいは文字を設けたりすることで、使用者に強い印象を与えることができる。前述したように、デザイン等は、化粧用フィルム上に印刷することも可能であるし、粘着シート１１に型抜き加工を施して形成しても良い。また、その両方の手法を併用しても良い。
【００４０】
本考案に係る壁面収納具の設置、組立方法について以上に説明したが、設置、組立を行った後に、物品収納部２を他の種類に交換することも容易である。まず、現在の物品収納部２を引き抜き、次に、上述した動作によって、他の種類の物品収納部２を壁面取付け部１に嵌めこめば良い。
【００４１】
なお、物品収納部２としては、本実施の形態で開示した以外に、携帯電話ケースや、スパイスストッカー、石鹸トレー、タオルリング、髭剃り置き、コップリング、ペットボトルホルダーといった様々な機能を持った収納具が考えられる。
【００４２】
最後に、本考案に係る壁面収納具の有する特長について以下にまとめる。
第一に特長は、吸盤と異なり設置場所の自由度が大きいことである。ある程度平滑な面があれば、木製等の面であっても粘着できる。また、屈曲可能な粘着シートを用いているので、Ｒのついた面でも設置可能である。
【００４３】
第２の特長は、簡単な設置（粘着）動作により、経年劣化の少ない確実な壁面等への固定ができる。
第３の特長は、両面テープ等とは異なり、設置後に別の場所に設置することも可能である。また、接着剤等の跡が壁面等に残ることが無い。
【００４４】
第４の特長は、様々な収納機能を持つ物品収納部２を取り換えて使用することが可能である。例えば、壁面取付け部１が二つと２種類の物品収納部２があれば、簡単に２種類の物品収納部２の設置位置を交換することも可能であるといった、多様な使用方法が考えられる。
【００４５】
第５の特長は、組立時や物品収納部２の交換時に、壁面取付け部１が剥がれることが無く、且つ物品収納部２がぐらぐらするといったことも無く、安定に壁面取付け部１に固定することができる。
【００４６】
第６の特長は、目立つ部分である粘着シートの上半分を活用できるため、また、印刷と型抜き加工を併用できるため、デザイン性およびアピール性に優れ、ノベルティグッズとしても最適である。
【符号の説明】
【００４７】
１      壁面取付け部  
１１    粘着シート
１２    連結受部    
１２Ａ  台    
１２Ｂ  受部基体  
１２Ｃ  固定用切れ込み    
１２Ｄ  空気穴
２      物品収納部  
２１Ａ  収納基体（フック）  
２１Ｂ  収納基体（ケース）
２１Ｃ  収納基体（トレイ）
２１Ｄ  収納基体（コード巻き）
２２    連結挿入部
【図１】
0003182611.tif 000003
【図２】
0003182611.tif 000004
【図３】
0003182611.tif 000005
【図４】
0003182611.tif 000006
【図５】
0003182611.tif 000007
【図６】
0003182611.tif 000008
【図７】
0003182611.tif 000009